(57)【要約】【課題】系統２の停電時も電流センサＣＴ２を用いた燃料発電装置３０の制御を継続する。【解決手段】電力線上の第１ノードＮ１より負荷３側の第２ノードＮ２に燃料発電装置３０が接続される。第１ノードＮ１と第２ノードの間に電流センサＣＴ２が設置される。電流センサＣＴ２により検出される電流値により燃料発電装置３０が制御される。蓄電システム１０において電流源１４は、電力変換部１２の自立端子に接続され、制御部１３からの指示に応じた値の電流を出力する。第１スイッチＳ１は、第１ノードＮ１と電流センサＣＴ２の間に挿入される。系統２の停電時において、第１スイッチＳ１の接続先が電流源１４に切り替わり、電流センサＣＴ２と第２ノードＮ２の間に挿入される第２スイッチＳ２の接続先が電力変換部１２の自立端子に切り替わり、制御部１３は、電流源１４に、電流センサＣＴ２に順方向の電流を流すよう指示する。【選択図】図２
2017175827.tif 000002
【特許請求の範囲】
【請求項１】
系統から負荷に電力を供給する電力線上の第１ノードに接続される蓄電システムであって、
前記電力線上において、前記第１ノードより前記負荷側の第２ノードに燃料発電装置が接続され、前記第１ノードと前記第２ノードの間に電流センサが設置され、前記電流センサにより検出される電流値により前記燃料発電装置が制御され、
前記蓄電システムは、
蓄電部と、
前記蓄電部から放電される直流電力を交流電力に変換して系統連系端子または自立端子から出力するとともに、前記系統連系端子または前記自立端子から入力される交流電力を直流電力に変換して前記蓄電部に充電する電力変換部と、
前記電力変換部を制御する制御部と、
前記電力変換部の自立端子に接続され、前記制御部からの指示に応じた値の電流を出力する電流源と、
前記第１ノードと前記電流センサの間に挿入され、前記電流センサの入力端子の接続先を、前記第１ノードと前記電流源との間で切り替える第１スイッチと、
を備え、
前記系統の停電時において、前記第１スイッチの接続先が前記電流源に切り替わり、前記電流センサと前記第２ノードの間に挿入され、前記第２ノードの接続先を、前記電流センサの出力端子と前記電力変換部の自立端子との間で切り替える第２スイッチの接続先が前記電力変換部の自立端子に切り替わり、前記制御部は、前記電流源に、前記電流センサに順方向の電流を流すよう指示する、
ことを特徴とする蓄電システム。
【請求項２】
前記系統の停電時において前記蓄電部が充電中のとき、前記制御部は、前記電力変換部の自立端子に入力される電流が所定値になるよう、前記電流源から出力する電流の値を調整し、前記電流源に設定することを特徴とする請求項１に記載の蓄電システム。
【請求項３】
前記系統の停電時において前記蓄電部が放電中のとき、前記制御部は、前記電力変換部の自立端子から出力される電流が所定値になるよう、前記電流源から出力する電流の値を調整し、前記電流源に指示することを特徴とする請求項１に記載の蓄電システム。
【請求項４】
前記電流センサと前記第２ノードの間の第３ノードと前記電流源が接続され、前記電流源から出力された電流が還流することを特徴とする請求項１から３のいずれかに記載の蓄電システム。
【請求項５】
系統から負荷に電力を供給する電力線上の第１ノードに蓄電装置の系統連系端子が接続され、前記電力線上において、前記第１ノードより前記負荷側の第２ノードに燃料発電装置が接続され、前記第１ノードと前記第２ノードの間に電流センサが設置され、前記電流センサにより検出される電流値により前記燃料発電装置が制御され、前記蓄電装置は蓄電部と電力変換部と制御部を含む、配電システムに接続される制御回路であって、
前記電力変換部の自立端子に接続され、前記制御部からの指示に応じた値の電流を出力する電流源と、
前記第１ノードと前記電流センサの間に挿入され、前記電流センサの入力端子の接続先を、前記第１ノードと前記電流源との間で切り替える第１スイッチと、
前記電流センサと前記第２ノードの間に挿入され、前記第２ノードの接続先を、前記電流センサの出力端子と前記電力変換部の自立端子との間で切り替える第２スイッチと、
を備え、
前記系統の停電時において、前記第１スイッチの接続先が前記電流源に切り替わり、前記第２スイッチの接続先が前記電流源に切り替わり、前記電流源は前記電流センサに順方向の電流を流す、
ことを特徴とする制御回路。
【発明の詳細な説明】
【技術分野】
【０００１】
本発明は、燃料発電装置と連携した蓄電システム及び制御回路に関する。
【背景技術】
【０００２】
２０１６年現在、日本では蓄電池から商用電力系統（以下、系統という）に逆潮流させることが制限されている。同様に、燃料電池で発電した電力を系統に逆潮流させることも制限されている。このルールを遵守するために、電力線において燃料電池が接続されたノードより上流に、逆潮流を検出するための電流センサが設置される。
【０００３】
当該電流センサの検出値をもとに燃料電池を制御する方法が実用化されている。即ち、当該電流センサが逆潮流方向の電流（系統方向への電流）を検出すると、燃料電池の発電が停止されるように制御される。また当該電流センサが順潮流方向の電流（負荷方向への電流）を検出すると、当該電流をゼロに近づけるように燃料電池の発電量が制御される。即ち、負荷の消費電力に対応する電力を発電するように制御される。
【０００４】
上記の制御方法では系統が停電すると、上記電流センサに順潮流方向の電流が流れなくなるため燃料電池の発電が停止する。これに対して、燃料電池より上流に蓄電池を接続し、蓄電池から放電することにより上記電流センサに順潮流方向の電流を流すことが考えられる。しかしながら、蓄電池の容量がなくなると燃料電池の発電が停止する。また系統の停電中は燃料電池から蓄電池に充電することができない。
【０００５】
そこで系統の停電時に、上記電流センサに外部から順潮流方向の擬似電流を流すことにより、燃料電池の発電を可能とし、蓄電池への充電も可能とする方法が提案されている（例えば、特許文献１参照）。
【先行技術文献】
【特許文献】
【０００６】
【特許文献１】特開２０１５−２１１５０７号公報
【発明の概要】
【発明が解決しようとする課題】
【０００７】
上記電流センサに順潮流方向の擬似電流を流すことにより、燃料電池から上流の蓄電池に充電する方法は、系統連系時に燃料電池から系統に逆潮流される誤動作リスクがある。系統連系時に上記電流センサに、誤った擬似電流が流れてしまうと、負荷に対して発電超過になる可能性がある。
【０００８】
本発明はこうした状況に鑑みなされたものであり、その目的は、逆潮流検出用の電流センサによる検出値にもとづき制御される燃料発電装置と連携した蓄電システムであり、系統連系時の逆潮流をより確実に防止しつつ、系統の停電時も燃料発電装置に安定的に発電させることができる蓄電システム及び制御回路を提供することにある。
【課題を解決するための手段】
【０００９】
上記課題を解決するために、本発明のある態様の蓄電システムは、系統から負荷に電力を供給する電力線上の第１ノードに接続される蓄電システムであって、前記電力線上において、前記第１ノードより前記負荷側の第２ノードに燃料発電装置が接続され、前記第１ノードと前記第２ノードの間に電流センサが設置され、前記電流センサにより検出される電流値により前記燃料発電装置が制御され、前記蓄電システムは、蓄電部と、前記蓄電部から放電される直流電力を交流電力に変換して系統連系端子または自立端子から出力するとともに、前記系統連系端子または前記自立端子から入力される交流電力を直流電力に変換して前記蓄電部に充電する電力変換部と、前記電力変換部を制御する制御部と、前記電力変換部の自立端子に接続され、前記制御部からの指示に応じた値の電流を出力する電流源と、前記第１ノードと前記電流センサの間に挿入され、前記電流センサの入力端子の接続先を、前記第１ノードと前記電流源との間で切り替える第１スイッチと、を備える。前記系統の停電時において、前記第１スイッチの接続先が前記電流源に切り替わり、前記電流センサと前記第２ノードの間に挿入され、前記第２ノードの接続先を、前記電流センサの出力端子と前記電力変換部の自立端子との間で切り替える第２スイッチの接続先が前記電力変換部の自立端子に切り替わり、前記制御部は、前記電流源に、前記電流センサに順方向の電流を流すよう指示する。
【発明の効果】
【００１０】
本発明によれば、逆潮流検出用の電流センサによる検出値にもとづき制御される燃料発電装置を、系統連系時の逆潮流をより確実に防止しつつ、系統の停電時も安定的に発電させることができる。
【図面の簡単な説明】
【００１１】
【図１】本発明の実施の形態１に係る配電システムの系統連系モード時の構成を示す図である。
【図２】本発明の実施の形態１に係る配電システムの自立モード時の構成を示す図である。
【図３】本発明の実施の形態２に係る配電システムの系統連系モード時の構成を示す図である。
【図４】本発明の実施の形態２に係る配電システムの自立モード時の構成を示す図である。
【発明を実施するための形態】
【００１２】
（実施の形態１）
図１は、本発明の実施の形態１に係る配電システム１の系統連系モード時の構成を示す図である。配電システム１は蓄電システム１０、電力切替部２０及び燃料発電装置３０を備える。蓄電システム１０の系統連系端子は、系統２から負荷３に電力を供給する電力線上の第１ノードＮ１に接続される。当該電力線上において系統２と第１ノードＮ１の間に第１電流センサＣＴ１が設置される。
【００１３】
上記電力線上において、第１ノードＮ１より負荷３側の第２ノードＮ２に燃料発電装置３０の出力端子が接続される。当該電力線上において、第１ノードＮ１と第２ノードＮ２の間に電力切替部２０が接続される。電力切替部２０は第２電流センサＣＴ２及び第２スイッチＳ２を含む。
【００１４】
燃料発電装置３０は燃料電池３１、電力変換部３２及び制御部３３を備える。燃料電池３１は、水素などの燃料と空気中の酸素等を化学反応させることにより直流電力を発電する。例えば、都市ガスやＬＰＧから改質器を用いて水素を取り出し、燃料としている。電力変換部３２は、燃料電池３１により発電された直流電力を交流電力に変換し、第２ノードＮ２に出力する。具体的には電力変換部３２は、インバータ単体、又はＤＣ−ＤＣコンバータとインバータとの組み合わせを含む。ＤＣ−ＤＣコンバータ及び／又はインバータは、制御部３３から指定される電流指令値にもとづき燃料電池３１を定電流（ＣＣ）放電する。また、ＤＣ−ＤＣコンバータ及び／又はインバータは、制御部３３から指定される電圧指令値にもとづき燃料電池３１を定電圧（ＣＶ）放電する。
【００１５】
制御部３３は燃料電池３１及び電力変換部３２を制御する。制御部３３の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００１６】
制御部３３は、第２電流センサＣＴ２により検出される電流値をもとに燃料電池３１及び電力変換部３２を制御する。２０１６年現在、日本では燃料電池から系統への逆潮流が制限されているため、第２電流センサＣＴ２により検出される電流が逆潮流方向の電流である場合、制御部３３は燃料発電装置３０からの発電を停止させる。また第２電流センサＣＴ２により検出される電流が順潮流方向の電流である場合、制御部３３は当該順潮流の電流値をゼロに近づけるように電力変換部３２を制御する。第２電流センサＣＴ２により検出される電流が順潮流方向の場合、負荷３で電力消費が発生していることを示しており、買電が発生している。例えば、電力会社から買電する電力の価格より、同量の電力を発電するための燃料となる水素の価格の方が安価の場合、燃料電池３１での発電量を増やし、電力会社からの買電を減らした方が電力コストを抑えることができる。
【００１７】
例えば、電力会社からの買電をゼロにすることを目標とする場合、制御部３３は、第２電流センサＣＴ２により検出された順潮流方向の電流値と同じ電流値の電力を、電力変換部３２から第２ノードＮ２に出力させるよう制御する。
【００１８】
蓄電システム１０は蓄電部１１、電力変換部１２、制御部１３、電流源１４及び第１スイッチＳ１を備える。蓄電部１１は、リチウムイオン蓄電池、ニッケル水素蓄電池、鉛蓄電池、電気二重層キャパシタ、リチウムイオンキャパシタ等を含む。また蓄電部１１内の監視部（不図示）は各セルの電圧、電流、温度を検出し、制御部１３に出力する。
【００１９】
電力変換部１２は、蓄電部１１から放電される直流電力を交流電力に変換し、系統連系端子または自立端子に出力する。電力変換部１２は、系統連系端子または自立端子から入力される交流電力を直流電力に変換し、蓄電部１１に充電する。具体的には電力変換部１２は、双方向インバータ単体、又は双方向ＤＣ−ＤＣコンバータと双方向インバータの組み合わせを含む。双方向ＤＣ−ＤＣコンバータ及び／又は双方向インバータは、制御部１３から指定される電流指令値にもとづき蓄電部１１を定電流（ＣＣ）充電／放電する。また、双方向ＤＣ−ＤＣコンバータ及び／又は双方向インバータは、制御部１３から指定される電圧指令値にもとづき蓄電部１１を定電圧（ＣＶ）充電／放電する。
【００２０】
電流源１４の入力端子は電力変換部１２の自立端子に接続され、制御部１３からの指示に応じた値の電流を出力する。電流源１４の出力端子は第１スイッチＳ１を介して第２電流センサＣＴ２の入力端子に接続可能である。さらに電流源１４の入力端子は、上記電力線上における第２電流センサＣＴ２の出力端子と第２ノードＮ２の間の第３ノードＮ３に接続され、電流源１４及び第２電流センサＣＴ２を含む電流ループを形成可能である。
【００２１】
第１スイッチＳ１は、上記電力線上において第１ノードＮ１と第２電流センサＣＴ２の間に挿入され、第２電流センサＣＴ２の入力端子の接続先を、第１ノードＮ１と電流源１４との間で切り替えるＣ接点スイッチである。第１スイッチＳ１は例えば、リレーや半導体スイッチで構成することができる。
【００２２】
第１スイッチＳ１は蓄電システム１０が系統連系モードで運転するとき、第２電流センサＣＴ２の入力端子を第１ノードＮ１に接続し、自立モードで運転するとき、第２電流センサＣＴ２の入力端子を電流源１４の出力端子に接続する。蓄電システム１０は系統２が正常なとき系統連系モードで運転し、系統２が停電のとき自立モードで運転する。系統連系モードでは電力変換部１２の入出力経路として系統連系端子を選択し、自立端子を電気的に無効とする。一方、自立モードでは自立端子を選択し、系統連系端子を電気的に無効とする。
【００２３】
第１スイッチＳ１は第２電流センサＣＴ２の入力端子の接続先を、第１ノードＮ１の検出電圧と電流源１４の出力端子の検出電圧をもとにハードウェア的に切り替える。例えば、第１ノードＮ１に系統電圧が所定時間継続して検出されなくなると第２電流センサＣＴ２の入力端子の接続先を、第１ノードＮ１から電流源１４の出力端子に切り替える。なお第１スイッチＳ１の切り替えは、制御部１３からの指示信号や停電検出器（不図示）からの指示信号にもとづき行われてもよい。
【００２４】
第２スイッチＳ２は、上記電力線上において第２電流センサＣＴ２と第２ノードＮ２の間に挿入され、第２ノードＮ２の接続先を、第２電流センサＣＴ２の出力端子と電力変換部１２の自立端子との間で切り替えるＣ接点スイッチである。第２スイッチＳ２も例えば、リレーや半導体スイッチで構成することができる。
【００２５】
第２スイッチＳ２は蓄電システム１０が系統連系モードで運転するとき、第２ノードＮ２を第２電流センサＣＴ２の出力端子に接続し、自立モードで運転するとき、第２ノードＮ２を電力変換部１２の自立端子に接続する。
【００２６】
第２スイッチＳ２は第２ノードＮ２の接続先を、第２電流センサＣＴ２の出力端子の検出電圧と電力変換部１２の自立端子の検出電圧をもとにハードウェア的に切り替える。例えば、一方の検出電圧が他方の検出電圧を上抜けた場合、上抜けた方の検出電圧の経路を接続先として選択する。なお第２スイッチＳ２の切り替えは、制御部１３からの指示信号や停電検出器（不図示）からの指示信号や、第１スイッチＳ１からの同期信号にもとづき行われてもよい。
【００２７】
蓄電システム１０の制御部１３は、電力変換部１２及び電流源１４を制御する。制御部１３の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００２８】
制御部１３は、第１電流センサＣＴ１により検出される電流値をもとに電力変換部１２を制御する。２０１６年現在、日本では蓄電池から系統への逆潮流が制限されているため、第１電流センサＣＴ１により検出される電流が逆潮流方向の電流である場合、制御部１３は蓄電部１１からの放電を停止させる。
【００２９】
制御部１３は、蓄電部１１から各セルの電圧、電流、温度を取得し、各セルの残容量（ＳＯＣ）を推定する。例えば、取得した電流値を積算して各セルの残容量を推定する。また各セルの開回路電圧（ＯＣＶ）から各セルの残容量を推定することもできる。制御部１３は通常時、蓄電システム１０を系統連系モードで運転させ、系統２が停電すると系統連系モードから自立モードに切り替える。
【００３０】
図２は、本発明の実施の形態１に係る配電システム１の自立モード時の構成を示す図である。自立モードに遷移すると第１スイッチＳ１の接続先が第１ノードＮ１から電流源１４の出力端子に切り替わり、第２スイッチＳ２の接続先が第２電流センサＣＴ２の出力端子から電力変換部１２の自立端子に切り替わる。この状態では原則的に、第２電流センサＣＴ２に電流が流れないため燃料発電装置３０からの発電が停止する。
【００３１】
本実施の形態では燃料電池３１の発電を継続させるため、制御部１３が電流源１４に電流を出力するよう指示し、電流源１４が当該指示に応じて電流を出力する。これにより、第２電流センサＣＴ２に順潮流方向の電流が流れ、燃料電池３１の発電が継続する。
【００３２】
制御部１３は蓄電部１１の残容量をもとに、蓄電部１１を放電するか充電するか決定する。上述のように停電時において燃料電池３１に発電させるには第２電流センサＣＴ２に順潮流方向の電流を流す必要がある。停電時、当該電流は電流源１４から供給されるが、そのもとになる電力は蓄電部１１から供給される。従って蓄電部１１の残容量が無くなると、燃料発電装置３０からの発電が停止する。そこで蓄電部１１の残容量が第１所定値未満にならないよう蓄電部１１を充電する必要がある。
【００３３】
蓄電部１１の充電中、制御部１３は、電力変換部１２の自立端子に入力される電流が所定値になるよう、電流源１４から出力する電流の値を調整し、電流源１４に設定する。図１、２に示す例では電力変換部１２の自立端子に入力される電流は、第３電流センサＣＴ３により検出され、制御部１３に出力される。例えば、蓄電部１１に定電流充電する場合、制御部１３は、第３電流センサＣＴ３により検出される電流値が当該定電流充電値を維持するよう、電流源１４から出力する電流値を適応的に調整する。
【００３４】
第２ノードＮから電力変換部１２の自立端子に流入する電流は、負荷３の変動に応じて変化する。従って蓄電部１１を定電流充電するには、負荷３の変動に燃料電池３１の発電量を追従させる必要がある。燃料電池３１の発電量は第２電流センサＣＴ２に流す電流の値により制御することができる。蓄電部１１の残容量が第２所定値に到達したら、制御部１３は、蓄電部１１の充電を終了する。
【００３５】
蓄電部１１の残容量が多い場合、燃料発電装置３０から蓄電部１１に充電する必要がなく、反対に蓄電部１１から放電して負荷３に電力を供給することができる。蓄電部１１の放電中、制御部１３は、電力変換部１２の自立端子から出力される電流が所定値になるよう、電流源１４から出力する電流の値を調整し、電流源１４に設定する。例えば、蓄電部１１から定電流放電する場合、制御部１３は、第３電流センサＣＴ３により検出される電流値が当該定電流放電値を維持するよう、電流源１４から出力する電流値を適応的に調整する。蓄電部１１の残容量が第１所定値に到達したら、制御部１３は、蓄電部１１の放電を終了する。
【００３６】
以上説明したように実施の形態１によれば、系統２の停電時において、電流源１４から第２電流センサＣＴ２に順潮流方向の電流を流すことにより、燃料発電装置３０を安定的に発電させることができる。従って停電時に燃料発電装置３０から蓄電部１１を充電することもできる。その際、系統２と電力変換部１２の系統連系端子を繋ぐ第１ノードＮ１経由ではなく、電力変換部１２の自立端子に接続された第２スイッチＳ２を経由して蓄電部１１に充電する。従って系統２と完全に電気的に切り離された状態で燃料発電装置３０から蓄電部１１に充電することができる。よって、燃料発電装置３０から系統２に逆潮流するリスクを限りなくゼロにすることができる。また系統連系時は電流源１４が電力線から電気的に切り離されるため、電流源１４が誤動作しても、電流源１４から第２電流センサＣＴ２に電流が流れることがない。従って、系統連系時も燃料発電装置３０から系統２に逆潮流するリスクを限りなくゼロにすることができる。
【００３７】
また燃料発電装置３０の既存の構成に殆ど変更を加える必要がない。燃料発電装置３０と蓄電システム１０間を通信線で接続する必要もない。従って既存の燃料発電装置３０に蓄電システム１０を後付け設置することも容易である。また燃料発電装置３０と蓄電システム１０の製造メーカが異なる場合でも、容易に連携運転させることができる。
【００３８】
（実施の形態２）
図３は、本発明の実施の形態２に係る配電システム１の系統連系モード時の構成を示す図である。以下、実施の形態１の構成との相違点を説明する。実施の形態２では電流源１４及び第２スイッチＳ２が省略され、充電器１５及び第３スイッチＳ３が追加される。第３スイッチＳ３は、第２電流センサＣＴ２の出力端子と充電器１５の入力端子間を繋ぐ経路に挿入される。第３スイッチＳ３は蓄電システム１０が系統連系モードで運転するときオン状態となり、自立モードで運転するときオフ状態となる。
【００３９】
充電器１５は、電力変換部１２と別に設けられるＡＣ−ＤＣコンバータであり、燃料発電装置３０から第３スイッチＳ３を介して入力される交流電力を直流電力に変換して蓄電部１１に充電する。
【００４０】
図４は、本発明の実施の形態２に係る配電システム１の自立モード時の構成を示す図である。自立モードに遷移すると第３スイッチＳ３がターンオンし、燃料発電装置３０と充電器１５が電気的に接続される。
【００４１】
燃料電池３１の発電を継続させるため、制御部１３は、蓄電部１１から所定の電流値を放電させるよう電力変換部１２を制御する。これにより、第２電流センサＣＴ２に順潮流方向の電流が流れ、燃料電池３１の発電が継続する。
【００４２】
蓄電部１１の残容量が第１所定値を下回らないよう蓄電部１１を充電する際、制御部１３は、蓄電部１１に所定の電流値を充電するよう充電器１５を制御する。この状態では電力変換部１２からの電流流出と、充電器１５からの電流流入が併存する。蓄電部１１をネットで充電状態にするため、制御部１３は、充電器１５に設定する電流指令値を、電力変換部１２に設定する電流指令値より大きくする。蓄電部１１の残容量が第２所定値に到達したら、制御部１３は蓄電部１１の充電を終了する。
【００４３】
以上説明したように実施の形態２によっても実施の形態１と同等の効果を奏する。
【００４４】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００４５】
上述の実施の形態１、２では、燃料発電装置３０として水素を燃料とする発電装置を想定したが、所定のガスを燃料とする発電装置であってもよい。
【００４６】
なお、実施の形態は、以下の項目によって特定されてもよい。
【００４７】
［項目１］
系統（２）から負荷（３）に電力を供給する電力線上の第１ノード（Ｎ１）に接続される蓄電システム（１０）であって、
前記電力線上において、前記第１ノード（Ｎ１）より前記負荷（３）側の第２ノード（Ｎ２）に燃料発電装置（３０）が接続され、前記第１ノード（Ｎ１）と前記第２ノード（Ｎ２）の間に電流センサ（ＣＴ２）が設置され、前記電流センサ（ＣＴ２）により検出される電流値により前記燃料発電装置（３０）が制御され、
前記蓄電システム（１０）は、
蓄電部（１１）と、
前記蓄電部（１１）から放電される直流電力を交流電力に変換して系統連系端子または自立端子から出力するとともに、前記系統連系端子または前記自立端子から入力される交流電力を直流電力に変換して前記蓄電部（１１）に充電する電力変換部（１２）と、
前記電力変換部（１２）を制御する制御部（１３）と、
前記電力変換部（１２）の自立端子に接続され、前記制御部（１３）からの指示に応じた値の電流を出力する電流源（１４）と、
前記第１ノード（Ｎ１）と前記電流センサ（ＣＴ２）の間に挿入され、前記電流センサ（ＣＴ２）の入力端子の接続先を、前記第１ノード（Ｎ１）と前記電流源（１４）との間で切り替える第１スイッチ（Ｓ１）と、
を備え、
前記系統（２）の停電時において、前記第１スイッチ（Ｓ１）の接続先が前記電流源（１４）に切り替わり、前記電流センサ（ＣＴ２）と前記第２ノード（Ｎ２）の間に挿入され、前記第２ノード（Ｎ２）の接続先を、前記電流センサ（ＣＴ２）の出力端子と前記電力変換部（１２）の自立端子との間で切り替える第２スイッチ（Ｓ２）の接続先が前記電力変換部（１２）の自立端子に切り替わり、前記制御部（１３）は、前記電流源（１４）に、前記電流センサ（ＣＴ２）に順方向の電流を流すよう指示する、
ことを特徴とする蓄電システム（１０）。
これによれば、系統（２）の停電時においても、電流センサ（ＣＴ２）を用いた燃料発電装置（３０）の制御を継続することができる。
［項目２］
前記系統（２）の停電時において前記蓄電部（１１）が充電中のとき、前記制御部（１３）は、前記電力変換部（１２）の自立端子に入力される電流が所定値になるよう、前記電流源（１４）から出力する電流の値を調整し、前記電流源（１４）に設定することを特徴とする項目１に記載の蓄電システム（１０）。
これによれば、系統（２）の停電時に、燃料発電装置（３０）に蓄電部（１１）に定電流充電が可能となる。
［項目３］
前記系統（２）の停電時において前記蓄電部（１１）が放電中のとき、前記制御部（１３）は、前記電力変換部（１２）の自立端子から出力される電流が所定値になるよう、前記電流源（１４）から出力する電流の値を調整し、前記電流源（１４）に指示することを特徴とする項目１に記載の蓄電システム（１０）。
これによれば、系統（２）の停電時に、蓄電部（１１）から負荷（３）に定電流放電することが可能となる。
［項目４］
前記電流センサ（ＣＴ２）と前記第２ノード（Ｎ２）の間の第３ノード（Ｎ３）と前記電流源（１４）が接続され、前記電流源（１４）から出力された電流が還流することを特徴とする項目１から３のいずれかに記載の蓄電システム（１０）。
これによれば、系統（２）の停電時に、電流センサ（ＣＴ２）を制御するための消費電力を低減することができる。
［項目５］
系統（２）から負荷（３）に電力を供給する電力線上の第１ノード（Ｎ１）に蓄電装置（１０）の系統連系端子が接続され、前記電力線上において、前記第１ノード（Ｎ１）より前記負荷（３）側の第２ノード（Ｎ２）に燃料発電装置（３０）が接続され、前記第１ノード（Ｎ１）と前記第２ノード（Ｎ２）の間に電流センサ（ＣＴ２）が設置され、前記電流センサ（ＣＴ２）により検出される電流値により前記燃料発電装置（３０）が制御され、前記蓄電装置（１０）は蓄電部（１１）と電力変換部（１２）と制御部（１３）を含む、配電システム（１）に接続される制御回路であって、
前記電力変換部（１２）の自立端子に接続され、前記制御部（１３）からの指示に応じた値の電流を出力する電流源（１４）と、
前記第１ノード（Ｎ１）と前記電流センサ（ＣＴ２）の間に挿入され、前記電流センサ（ＣＴ２）の入力端子の接続先を、前記第１ノード（Ｎ１）と前記電流源（１４）との間で切り替える第１スイッチ（Ｓ１）と、
前記電流センサ（ＣＴ２）と前記第２ノード（Ｎ２）の間に挿入され、前記第２ノード（Ｎ２）の接続先を、前記電流センサ（ＣＴ２）の出力端子と前記電力変換部（１２）の自立端子との間で切り替える第２スイッチ（Ｓ２）と、
を備え、
前記系統（２）の停電時において、前記第１スイッチ（Ｓ１）の接続先が前記電流源（１４）に切り替わり、前記第２スイッチ（Ｓ２）の接続先が前記電流源（１４）に切り替わり、前記電流源（１４）は前記電流センサ（ＣＴ２）に順方向の電流を流す、
ことを特徴とする制御回路。
これによれば、系統（２）の停電時においても、電流センサ（ＣＴ２）を用いた燃料発電装置（３０）の制御を継続することができる。
【符号の説明】
【００４８】
１  配電システム、  ２  系統、  ３  負荷、  １０  蓄電システム、  １１  蓄電部、  １２  電力変換部、  １３  制御部、  １４  電流源、  １５  充電器、  ２０  電力切替部、  ３０  燃料発電装置、  ３１  燃料電池、  ３２  電力変換部、  ３３  制御部、  ＣＴ１  第１電流センサ、  ＣＴ２  第２電流センサ、  ＣＴ３  第３電流センサ、  Ｓ１  第１スイッチ、  Ｓ２  第２スイッチ、  Ｓ３  第３スイッチ。
【図１】
2017175827.tif 000003
【図２】
2017175827.tif 000004
【図３】
2017175827.tif 000005
【図４】
2017175827.tif 000006